(57)【特許請求の範囲】
【請求項１】
撤去対象の埋設管の全長に亘って挿通した索条体をその埋設管の両端部に係合させて、前記埋設管と前記索条体とを一体に保持可能な埋設管引き抜き用治具であって、
前記索条体の引っ張り反力を受け止めて前記埋設管の端部に管長手方向から圧接可能な圧接部材と、その圧接部材を前記索条体に対して索条体径方向から装脱可能な装着部とを設けて、前記装着部に装着した圧接部材で前記索条体を前記埋設管の端部に係合可能に構成し、
前記装着部を前記索条体の長手方向に沿って複数箇所に設けてある埋設管引き抜き用治具。
【請求項２】
前記圧接部材が棒状体であって、その圧接部材を索条体径方向から挿抜自在な環状部を前記索条体に設けて、前記装着部を構成してある請求項１記載の埋設管引き抜き用治具。
【請求項３】
互いに並べた複数本の索状部材を長手方向の複数箇所で一体に連結して前記索条体を構成し、それらの連結部間に、前記複数本の索状部材が互いに連結された前記環状部を形成してある請求項２記載の埋設管引き抜き用治具。
【請求項４】
前記圧接部材を、前記埋設管の端部の外径よりも長いテーパピンで構成してある請求項２又は３記載の埋設管引き抜き用治具。
【発明の詳細な説明】
【０００１】
【発明の属する技術分野】
本発明は、撤去対象の埋設管の全長に亘って挿通した索条体をその埋設管の両端部に係合させて、前記埋設管と前記索条体とを一体に保持可能な埋設管引き抜き用治具に関する。
【０００２】
【従来の技術】
撤去対象の埋設管の端部を把持して地中から引き抜く埋設管引き抜き工法において、埋設管の途中箇所に印ロウ管継手（ソケット管接合) などを使用してある抜け止め阻止力が小さい継手部分がある場合は、埋設管の端部を把持して引き抜こうとすると、その継手部分が外れて埋設管が地中で分断されてしまい、埋設管を全長に亘って引き抜けないおそれがある。
【０００３】
上記埋設管引き抜き用治具は、このような埋設管引き抜き工法において、埋設管の端部を把持して引き抜くに伴って、抜け止め阻止力が少ない継手部分が緩んだり外れたりしても、埋設管を全長に亘って引き抜けるように、撤去対象の埋設管の全長に亘って挿通した索条体をその埋設管の両端部に係合させて、埋設管と索条体とを一体に保持できるようにしたものである。
【０００４】
従来の埋設管引き抜き用治具では、図６（イ) に示すように、ワイヤー（索条体の一例) １の引っ張り反力を受け止めて埋設管Ａの端部に管長手方向から圧接可能な筒状の圧接部材３を設け、図６（ロ) に示すように、ワイヤー１を撤去対象の埋設管Ａの全長に亘って挿通して、そのワイヤー１の一端側に連結した係合金具２を埋設管Ａの一端部に係合させるとともに、他端側を圧接部材３に挿通して、その圧接部材３をワイヤー１にビス２３で締め付け固定することにより、そのワイヤー１の他端側を圧接部材３で設管Ａの他端部に係合させて、ワイヤー１を埋設管Ａの両端部に係合させている。
【０００５】
【発明が解決しようとする課題】
このため、図７（イ) に示すように、埋設管Ａの端部を把持して牽引する牽引装置Ｄをピット１４内に設置して、その牽引装置Ｄで埋設管Ａの端部を把持し、埋設管Ａの一部をピット１４内に引き抜いて、その引き抜き部分２２を筒状に切断して撤去してから、図７（ロ) に示すように、圧接部材３をワイヤー１に固定し直して、その圧接部材３を埋設管Ａの切断後の端部に係合させ、埋設管Ａの端部を牽引装置Ｄに把持し直して、牽引装置Ｄでその一部を引き抜くという作業を繰り返すことにより、撤去対象の埋設管Ａを全長に亘って引き抜く場合は、ワイヤー１の圧接部材３への抜き差しに手間が掛かり、埋設管Ａを能率良く引き抜けない欠点がある。
【０００６】
つまり、埋設管Ａの端部を把持してその一部を引き抜く作業を繰り返すには、その繰り返しの都度、引き抜き部分２２を切断したあとの埋設管Ａの端部に圧接部材３を係合し直す必要があるが、筒状の圧接部材３を使用しているために、埋設管Ａの一部を引き抜く都度、圧接部材３と筒状に切断した引き抜き部分２２とからワイヤー１を抜き出して、圧接部材３にワイヤー１を挿通し直し、その圧接部材３を埋設管Ａの端部に係合する必要があるからである。
【０００７】
本発明は上記実情に鑑みてなされたものであって、埋設管の端部を把持してその一部を引き抜き、その引き抜き部分を筒状に切断してから、埋設管の切断後の端部を把持し直してその一部を引き抜くという作業を繰り返すことによって、撤去対象の埋設管を全長に亘って引き抜く場合に、埋設管を能率良く引き抜けるようにすることを目的とする。
【０００８】
【課題を解決するための手段】
請求項１記載の発明の特徴構成は、撤去対象の埋設管の全長に亘って挿通した索条体をその埋設管の両端部に係合させて、前記埋設管と前記索条体とを一体に保持可能な埋設管引き抜き用治具であって、前記索条体の引っ張り反力を受け止めて前記埋設管の端部に管長手方向から圧接可能な圧接部材と、その圧接部材を前記索条体に対して索条体径方向から装脱可能な装着部とを設けて、前記装着部に装着した圧接部材で前記索条体を前記埋設管の端部に係合可能に構成し、前記装着部を前記索条体の長手方向に沿って複数箇所に設けてある点にある。
【０００９】
〔作用〕
索条体には、圧接部材を索条体に対して索条体径方向から装脱可能な装着部を、索条体の長手方向に沿って複数箇所に設けてあり、索条体の一端側を埋設管の一端部に係合した状態で、少なくとも一つの装着部が埋設管の他端部から引き出されるように、索条体を撤去対象の埋設管の全長に亘って埋設管に挿通し、その引き出した装着部に索条体径方向から装着した圧接部材で索条体の他端側を埋設管の他端部に係合して、埋設管の端部を把持して引き抜くに伴って、抜け止め阻止力が少ない継手部分が緩んだり外れたりしても、埋設管を全長に亘って引き抜けるように、索条体をその埋設管の両端部に係合させる。
【００１０】
そして、牽引装置で埋設管の端部を把持して、その埋設管の一部を引き抜いてから、圧接部材を装着部から索条体径方向に外すとともに、引き抜き部分を筒状に切断して、圧接部材が埋設管の切断後の端部に係合するように、埋設管の切断後の端部から引き出されている装着部に圧接部材を索条体径方向から装着し直して、索条体を埋設管の両端部に係合させるとともに、埋設管の切断後の端部を牽引装置で把持し直して、牽引装置でその一部を引き抜くという作業を繰り返すことにより、撤去対象の埋設管を全長に亘って引き抜くことができる。
【００１１】
〔効果〕
埋設管の端部を把持してその一部を引き抜き、その引き抜き部分を筒状に切断してから、再度、埋設管の切断後の端部を把持し直してその一部を引き抜くという作業を繰り返すことによって、撤去対象の埋設管を全長に亘って引き抜く場合に、従来のように、埋設管の一部を引き抜く都度、圧接部材からワイヤーを抜き差しすることなく、圧接部材を装着部に索条体径方向から装脱することで、ワイヤーを埋設管の両端部に係合させて、埋設管と索条体とを一体に保持することができ、埋設管を能率良く引き抜くことができる。
【００１２】
請求項２記載の発明の特徴構成は、前記圧接部材が棒状体であって、その圧接部材を索条体径方向から挿抜自在な環状部を前記索条体に設けて、前記装着部を構成してある点にある。
【００１３】
〔作用〕
索条体の一端側を埋設管の一端部に係合した状態で、少なくとも一つの環状部が埋設管の他端部から引き出されるように、索条体を撤去対象の埋設管の全長に亘って埋設管に挿通し、その引き出した環状部に索条体径方向から挿通した棒状体（圧接部材) で索条体の他端側を埋設管の他端部に係合して、索条体をその埋設管の両端部に係合させる。
【００１４】
そして、牽引装置で埋設管の端部を把持して、その埋設管の一部を引き抜いてから、棒状体（圧接部材) を環状部から索条体径方向に引き抜くとともに、埋設管の引き抜き部分を筒状に切断して、棒状体（圧接部材) が埋設管の切断後の端部に係合するように、埋設管の切断後の端部から引き出されている環状部に棒状体（圧接部材) を索条体径方向から挿通し直して、索条体を埋設管の両端部に係合させることができる。
【００１５】
〔効果〕
棒状体（圧接部材) を環状部に挿抜して、索条体を埋設管の端部に係合させたりその係合を解除したりすることができるので、作業性を向上できる。
【００１６】
請求項３記載の発明の特徴構成は、互いに並べた複数本の索状部材を長手方向の複数箇所で一体に連結して前記索条体を構成し、それらの連結部間に、前記複数本の索状部材が互いに連結された前記環状部を形成してある点にある。
【００１７】
〔作用〕
互いに並べた複数本の索状部材を長手方向の複数箇所で一体に連結して、それらの連結部間に、複数本の索状部材が互いに連結された環状部を形成してあるので、索状部材の引っ張り反力を棒状体（圧接部材) に直に伝達できる。
【００１８】
〔効果〕
索状部材の引っ張り反力を棒状体（圧接部材) に直に伝達できるので、例えば、環状部材の複数を別途製作して、それらの環状部材を索条体の長手方向に沿って複数箇所に連結し、索状部材の引っ張り反力を環状部材を介して棒状体（圧接部材) に伝達するように構成する場合に比べて、環状部の強度を確保し易いとともに、環状部を簡便に設けることができ、構造の簡略化と軽量化を図れる。
【００１９】
請求項４記載の発明の特徴構成は、前記圧接部材を、前記埋設管の端部の外径よりも長いテーパピンで構成してある点にある。
【００２０】
〔作用〕
埋設管の一部を引き抜いたときに、環状部に挿通してある棒状体（圧接部材) が埋設管の端部に強い圧接力で圧接されていると、全長に亘って同径の棒状体（圧接部材) の場合は、その棒状体（圧接部材) が環状部から抜け出るまで、その強い圧接力が継続的に作用し続けて、棒状体（圧接部材) を環状部から引き抜きにくいが、棒状体（圧接部材) を埋設管の端部の外径よりも長いテーパピンで構成してあるので、棒状体（圧接部材) を環状部から抜き出し方向に移動させることによって、その圧接力を緩和できる。
【００２１】
〔効果〕
埋設管の一部を引き抜いたときに、環状部に挿通してある棒状体（圧接部材) が埋設管の端部に強い圧接力で圧接されていても、棒状体（圧接部材) を環状部から容易に抜き出すことができる。
【００２２】
【発明の実施の形態】
以下に本発明の実施の形態を図面に基づいて説明する。尚、図面において従来例と同一の符号で表示した部分は、同一又は相当の部分を示している。
図１は、撤去対象の都市ガス供給用鋼製埋設管Ａの全長に亘って挿通したワイヤー（索条体の一例) １をその埋設管Ａの両端部に係合させて、埋設管Ａとワイヤー１とを一体に保持可能な埋設管引き抜き用治具Ｂを示し、図２，図３は、その引き抜き用治具Ｂを使用して、撤去対象の埋設管Ａの端部を把持して地中から引き抜く埋設管引き抜き工法を示している。
【００２３】
前記引き抜き用治具Ｂは、図１（イ) に示すように、埋設管Ａの一端部に係合させる係合金具２を一端側に連結してあるワイヤー１と、ワイヤー１の引っ張り反力を受け止めて埋設管Ａの端部に管長手方向から圧接可能な圧接部材３と、その圧接部材３をワイヤー１に対して索条体径方向から装脱可能な複数の装着部４とを設けて、いずれかの装着部４に装着した圧接部材３でワイヤー１を埋設管Ａの他端部に係合可能に構成してある。
【００２４】
前記圧接部材３を、埋設管Ａの端部の外径よりも長い鋼製のテーパピン（棒状体の一例) で構成するとともに、ワイヤー１を、一本の小径ワイヤー（索条部材の一例) ５を中央部で折り曲げて、互いに略平行に並べてある二本の小径ワイヤー５の遊端部と中間部とを複数のかしめ用金物６で、略一定間隔（本実施形態では約１５０ｍｍ) を隔てて、互いに連結して構成してある。
【００２５】
そして、小径ワイヤー５どうしの連結部間に、二本の小径ワイヤー５が互いに連結された環状部７を形成して、テーパピン３を環状部７にワイヤー径方向から挿抜自在な装着部４を、ワイヤー１の長手方向に沿って複数箇所に設けてある。
【００２６】
前記係合金具２は、図１（ロ) に示すように、埋設管Ａの一端部に内嵌する内嵌部８を一端側に備え、内嵌部８と金具本体９とに亘って形成した溝１０にワイヤー１の一端側を入り込ませるとともに、金具本体９にねじ込み固定したボルト１１を小径ワイヤー５どうしの間に入り込ませて、係合金具２をワイヤー１の一端側に連結してあり、後述する新設管Ｃを連結するためのアイボルト１２を他端側に固定してある。
【００２７】
前記引き抜き用治具Ｂを使用して、撤去対象の埋設管Ａの端部を把持して地中から引き抜きながら、その引き抜き跡にポリエチレンなどの樹脂製新設管Ｃを引き込む埋設管引き抜き工法を、図２，図３を参照しながら説明する。
【００２８】
図２（イ) に示すように、印ロウ管継手（ソケット管接合) などを使用した抜け止め阻止力が小さい継手部分１３を途中箇所に設けてある撤去対象の埋設管Ａの両端部をピット１４ａ，１４ｂ内に露出させて、一方のピット１４ａから埋設管Ａの全長に亘ってワイヤー１を通線具等で挿通し、その一端側に連結してある係合金具２の内嵌部８を埋設管Ａの一端部に内嵌して、ワイヤー１の一端側を係合金具２で埋設管Ａの一端部に係合させるとともに、埋設管Ａの引き抜き跡に引き込む新設管Ｃを、連結金具１５を介して、係合金具２のアイボルト１２に相対回転可能に連結し、埋設管Ａの他端部を把持して牽引する牽引装置Ｄを他方のピット１４ｂ内に設置する。
【００２９】
前記牽引装置Ｄは、図４に示すように、互いに平行に並べて固定してある左右一対の油圧シリンダ１６と、それらの油圧シリンダ１６のロッドどうしを連結する連結部１７に、油圧シリンダ１６の伸縮方向に沿って上下揺動自在に支持してある牽引ロッド１８と、牽引ロッド１８の先端部に、油圧シリンダ１６の伸縮方向に沿って上下揺動自在に支持してある管把持具１９とを備えている。
【００３０】
前記管把持具１９は、図５に示すように、埋設管Ａの上面側に係止する上部係止片２０と、埋設管Ａの下面側に係止する下部係止片２１とを、埋設管Ａの外径よりも広い間隔を隔てて上下に設けて、正面視で略コの字状に形成してあり、上部係止片２０と下部係止片２１との間に埋設管Ａを入り込ませた状態で、牽引方向上手側に倒して、上部係止片２０と下部係止片２１とを埋設管Ａの外周面に上下から係止させることで、埋設管Ａを把持できるようにしてある。
【００３１】
そして、油圧シリンダ１６を収縮させた状態で、管把持具１９で埋設管Ａの端部を把持してから、油圧シリンダ１６の伸長作動で牽引ロッド１８を移動させることにより、埋設管Ａを油圧シリンダ１６の伸長ストローク分だけ地中から引き抜き、管把持具１９を持ち上げて埋設管Ａの把持を解除してから、油圧シリンダ１６を収縮作動させて、再度、管把持具１９で埋設管Ａを把持する作業を繰り返して、埋設管Ａをピット１４ｂ内に少しずつ引き抜けるようにしてある。
【００３２】
次に、図２（ロ) に示すように、ワイヤー１の端部を手で引っ張って、埋設管Ａから引き出した環状部７にテーパピン３を挿通し、そのテーパピン３を埋設管Ａの他端部に押し付けて、ワイヤー１の他端側を埋設管Ａの他端部に係合し、埋設管Ａとワイヤー１とを一体に保持する。
【００３３】
次に、図３（ハ) に示すように、管把持具１９で埋設管Ａの端部を把持して、図３（ニ) に示すように、埋設管Ａの引き抜き跡に新設管Ｃを引き込みながら、埋設管Ａのピット１４ｂ内への引き抜き部分２２の長さが所定長さになるように牽引し、テーパピン３の小径側端部をハンマーなどで抜け出し方向に打撃して、テーパピン３を環状部７からワイヤー径方向から引き抜くとともに、引き抜き部分２２を筒状に切断し、その切断した引き抜き部分２２をワイヤー１から抜き出してピット１４ｂの外に撤去する。
【００３４】
次に、埋設管Ａの切断後の端部から引き出されているワイヤー１を引っ張って、前述と同様に、埋設管Ａから引き出した環状部７にテーパピン３を挿通して、ワイヤー１の他端側を埋設管Ａの切断後の他端部に係合し、埋設管Ａを全長に亘ってピット１４ｂ内に引き抜いて、その引き抜き跡の全長に亘って新設管Ｃを引き込むまで、上記作業を繰り返す。
【００３５】
〔その他の実施形態〕
１．本発明による埋設管引き抜き用治具は、索条体としてピン連結チェーンやコイル連結チェーンなどのチェーンを使用して、そのチェーンに圧接部材をチェーン径方向から装脱できるようにしてあっても良い。
２．本発明による埋設管引き抜き用治具は、圧接部材を索条体に対して索条体径方向から装脱可能に係止する装着部を設けてあっても良い。
３．本発明による埋設管引き抜き用治具は、索条体の材質を選択したり、索条体の途中箇所にコイルバネ等の弾性体を接続したりして、索条体を一定限度で弾性的に伸縮可能に設け、索条体の一端側を埋設管の一端部に係合させた状態で、弾性的に伸長させながらその索条体の他端側を引っ張って、装着部を埋設管から引き出し、その引き出した装着部に圧接部材を装着して、索条体の弾性復元力で埋設管の他端部に圧接部材を押し付けて、索条体の他端側を埋設管の他端部に係合させるように構成してあっても良い。
４．本発明による埋設管引き抜き用治具は、埋設管の端部に仮止め可能な仮止め具や埋設管の端部に磁力で吸着可能な吸着具などを圧接部材に設けて、ワイヤーを特に引っ張ることなく、装着部に装着した圧接部材を埋設管の端部に仮止めしたり吸着させておき、埋設管を引き抜くに伴って、抜け止め阻止力が少ない継手部分が緩んだり外れたりして、索条体に引っ張り力が生じたときには、その引っ張り反力を圧接部材で受け止めて、索条体を埋設管の端部に係合させるように構成してあっても良い。
５．本発明による埋設管引き抜き用治具は、埋設管の途中箇所に腐食箇所や破損箇所などがあって、その埋設管の端部を把持して引き抜こうとすると、埋設管がその箇所でちぎれて分断されてしまうおそれがある場合に使用しても良い。
６．本発明による埋設管引き抜き用治具は、ポリエチレン樹脂などの樹脂製や鋳鉄製の埋設管を引き抜くために使用しても良い。
７．本発明による埋設管引き抜き用治具は、上水道用や下水道用の埋設管、或いは、電力ケーブルや通信ケーブルなどを地中に埋設するための埋設管を引き抜くために使用しても良い。
【図面の簡単な説明】
【図１】埋設管引き抜き用治具を示し、（イ) は一部省略斜視図、（ロ) は要部側面図
【図２】埋設管引き抜き工法の説明図
【図３】埋設管引き抜き工法の説明図
【図４】牽引装置の斜視図
【図５】牽引装置の要部側面図
【図６】従来技術の説明図
【図７】従来技術の説明図
【符号の説明】
１    索条体
３    圧接部材（テーパピン)
４    装着部
５    索状部材
７    環状部
Ａ    埋設管
【図１】
0004603729.tif 000002
【図２】
0004603729.tif 000003
【図３】
0004603729.tif 000004
【図４】
0004603729.tif 000005
【図５】
0004603729.tif 000006
【図６】
0004603729.tif 000007
【図７】
0004603729.tif 000008